【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】基地局装置、移動局装置、移動体通信システム及び無線送信方法
【手続補正２】
【補正対象書類名】明細書
【補正対象項目名】特許請求の範囲
【補正方法】変更
【補正の内容】
【特許請求の範囲】
【請求項１】
セルを区別するための長周期拡散符号とフレームの同期をとるための短周期拡散符号とを用いて拡散処理を行って、複数のタイムスロットから構成されるフレーム構造を備えた送信信号を形成する基地局装置であって、
第１の短周期拡散符号を用いて拡散したシンボルを含む第１の制御チャネルを形成する第１の制御チャネル形成手段と、
前記第１の短周期拡散符号を用いて拡散されたシンボルと同タイミングで配置され、第２の短周期拡散符号を用いて拡散したシンボルを含む第２の制御チャネルを形成する第２の制御チャネル形成手段と
を具備することを特徴とする基地局装置。
【請求項２】
前記第２の制御チャネル形成手段は、前記第２の短周期拡散符号を用いて拡散したシンボルによって前記フレームの区切りを示す情報を含む第２の制御チャネルを形成する
ことを特徴とする請求項１に記載の基地局装置。
【請求項３】
前記第２の制御チャネル形成手段は、前記第２の短周期拡散符号を用いて拡散したシンボルによって前記フレームの区切りと長周期拡散符号の候補を示す情報を含む第２の制御チャネルを形成する
ことを特徴とする請求項１に記載の基地局装置。
【請求項４】
前記第２の制御チャネル形成手段は、複数のタイムスロットにおいて送信する、前記第２の短周期拡散符号の番号と、前記第２の短周期拡散符号と前記第１の短周期拡散符号との位相差の周期パターンとによって、前記フレームの区切りを示す情報を形成する
ことを特徴とする請求項２に記載の基地局装置。
【請求項５】
前記第２の制御チャネル形成手段は、複数のタイムスロットにおいて送信する、前記第２の短周期拡散符号の番号と、前記第２の短周期拡散符号と前記第１の短周期拡散符号との位相差の周期パターンとによって、前記フレームの区切りと長周期拡散符号の候補を示す情報を形成する
ことを特徴とする請求項３に記載の基地局装置。
【請求項６】
前記第２の制御チャネル形成手段は、前記第２の短周期拡散符号の番号と、各タイムスロットに前記第２の短周期拡散符号を用いて拡散したシンボルを配置するか否かのパターンとによって、前記フレームの区切りを示す情報を形成する
ことを特徴とする請求項２に記載の基地局装置。
【請求項７】
前記第２の制御チャネル形成手段は、前記第２の短周期拡散符号を用いて拡散したシンボルによって前記タイムスロットの区切りを示す情報を含む第２の制御チャネルを形成する
ことを特徴とする請求項１に記載の基地局装置。
【請求項８】
前記第１及び第２の制御チャネル形成手段は、前記同タイミングで拡散したシンボルを、一部のタイムスロットにのみ配置する
ことを特徴とする請求項１に記載の基地局装置。
【請求項９】
セルを区別するための長周期拡散符号とフレームの同期をとるための短周期拡散符号とを用いて形成された、複数のタイムスロットからなるフレーム構造を備えた信号を受信する移動局装置であって、
第１の短周期拡散符号を用いて受信信号を逆拡散する第１の相関検出手段と、
前記第１の相関検出手段の検出結果に基づいたタイミングで、複数種類の第２の短周期拡散符号を用いて受信信号を逆拡散する第２の相関検出手段と、
前記第１の相関検出手段の検出結果と前記第２の相関検出手段の検出結果とに基づいて、基地局との同期を得る同期手段と
を具備することを特徴とする移動局装置。
【請求項１０】
前記同期手段は、複数のタイムスロットにおいて検出した、第２の短周期拡散符号の種類と、第２の短周期拡散符号と検出した第１の短周期拡散符号との位相差の周期パターンとに基づいて、フレームの区切りを得る
ことを特徴とする請求項９に記載の移動局装置。
【請求項１１】
前記同期手段は、複数のタイムスロットにおいて検出した、第２の短周期拡散符号の種類と、第２の短周期拡散符号と第１の短周期拡散符号との位相差の周期パターンとに基づいて、タイムスロットの区切りを得る
ことを特徴とする請求項９に記載の移動局装置。
【請求項１２】
前記同期手段は、特定した前記第２の短周期拡散符号の種類と、各タイムスロットにおいて、前記第２の短周期拡散符号を用いて拡散されたシンボルが配置されているか否かのパターンとに基づいて、フレームの区切りを得る
ことを特徴とする請求項９に記載の移動局装置。
【請求項１３】
前記同期手段によって得られたフレームタイミングで、長周期拡散符号と短周期拡散符号とを重畳した拡散符号を用いて受信信号を逆拡散する逆拡散手段を具備する
請求項１０又は請求項１２に記載の移動局装置。
【請求項１４】
請求項１に記載の基地局装置と、請求項９に記載の移動局装置とを具備する移動体通信システム。
【請求項１５】
セルを区別するための長周期拡散符号とフレームの同期をとるための短周期拡散符号とを用いて拡散処理を行って、複数のタイムスロットから構成されるフレーム構造を備えた送信信号を送信する無線送信方法であって、
前記複数のタイムスロットのうちの少なくとも一部のタイムスロットにおいて、第１の短周期拡散符号を用いて拡散したシンボルを含む第１の制御チャネルを伝送するステップと、
前記第１の短周期拡散符号で拡散したシンボルと同タイミングで、第２の短周期拡散符号を用いて拡散したシンボルを含む第２の制御チャネルを伝送するステップと
を有し、
前記第２の短周期拡散符号の種類又は位相によって、前記タイムスロットの区切り及び又はフレームの区切りを示す情報を伝送する
ことを特徴とする無線送信方法。
【手続補正３】
【補正対象書類名】明細書
【補正対象項目名】０００１
【補正方法】変更
【補正の内容】
【０００１】
【発明の属する技術分野】
本発明は情報を拡散符号で拡散して広い帯域で伝送するスペクトル拡散通信によって多元接続を行い、かつ同一の無線周波数を時分割して上り回線と下り回線を交互に通信する基地局装置、移動局装置、移動体通信システム及び無線送信方法に関する。
【手続補正４】
【補正対象書類名】明細書
【補正対象項目名】００２３
【補正方法】変更
【補正の内容】
【００２３】
本発明は、長周期拡散符号の同期の獲得時間を短縮し、周波数利用効率を低下させずに、置局設計を容易にすることができる基地局装置、移動局装置、移動体通信システム及び無線送信方法を提供することを目的とする。
【手続補正５】
【補正対象書類名】明細書
【補正対象項目名】００２５
【補正方法】変更
【補正の内容】
【００２５】
本発明の基地局装置は、セルを区別するための長周期拡散符号とフレームの同期をとるための短周期拡散符号とを用いて拡散処理を行って、複数のタイムスロットから構成されるフレーム構造を備えた送信信号を形成する基地局装置であって、第１の短周期拡散符号を用いて拡散したシンボルを含む第１の制御チャネルを形成する第１の制御チャネル形成手段と、前記第１の短周期拡散符号を用いて拡散されたシンボルと同タイミングで配置され、第２の短周期拡散符号を用いて拡散したシンボルを含む第２の制御チャネルを形成する第２の制御チャネル形成手段とを具備する構成を採る。
【手続補正６】
【補正対象書類名】明細書
【補正対象項目名】００２６
【補正方法】変更
【補正の内容】
【００２６】
本発明の移動局装置は、セルを区別するための長周期拡散符号とフレームの同期をとるための短周期拡散符号とを用いて形成された、複数のタイムスロットからなるフレーム構造を備えた信号を受信する移動局装置であって、第１の短周期拡散符号を用いて受信信号を逆拡散する第１の相関検出手段と、前記第１の相関検出手段の検出結果に基づいたタイミングで、複数種類の第２の短周期拡散符号を用いて受信信号を逆拡散する第２の相関検出手段と、前記第１の相関検出手段の検出結果と前記第２の相関検出手段の検出結果とに基づいて、基地局との同期を得る同期手段とを具備する構成を採る。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】削除
【補正の内容】
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】削除
【補正の内容】